(57)【特許請求の範囲】
【請求項１】
挿通孔が設けられているフランジ部、
前記フランジ部から上方に向かって突設され、スリットにより分割された少なくとも一対の分割脚部、及び
前記分割脚部の内部方向に突設され、先端部に向かうに従って内方に傾斜するテーパー面を有する膨出部から少なくとも構成されているグロメットと、
前記フランジ部に嵌合する頭部、
前記頭部から上方に向かって突設されている軸部、
前記軸部の側部に形成され、前記膨出部に係合することにより、前記分割脚部を拡径する凹溝から少なくとも形成されているピンとを有するプッシュリベットにおいて、
前記グロメットと前記ピンとの間には、
本止め状態において、前記グロメットの前記フランジ部と前記ピンの前記頭部との対向面の間に、クリアランスを生じさせるための接触手段を備え、
前記接触手段は、
前記グロメットの前記フランジ部と、前記ピンの前記頭部との対向面のいずれか少なくとも一方に設けられている突部であり、
前記突部は、前記グロメットの前記フランジ部に設けられるとともに、
前記突部の下面が、前記フランジ部の下面と平行に平面状に形成されている、
ことを特徴とするプッシュリベット。
【請求項２】
前記グロメットの前記フランジ部の外周には、
前記挿通孔を中心に放射状に配置され、当該挿通孔に向かって治具を差し込み可能な複数個の差込溝と、
前記差込溝を挟んで両側に位置し、前記フランジ部の外周を縁取るとともに、内周方向に前記ピンの前記頭部の外周がはまり込む複数個の突縁部とを有し、
前記突部は、
前記突縁部と前記挿通孔との間に位置し、前記フランジ部の下面に向かって前記突縁部より一段高く形成されていることを特徴とする請求項１に記載のプッシュリベット。
【請求項３】
前記突部は、
前記突縁部から前記挿通孔に向かって、前記フランジ部の周方向の幅を徐々に減少させていることを特徴とする請求項２に記載のプッシュリベット。
【発明の詳細な説明】
【技術分野】
【０００１】
この発明は、自動車のボディ等のパネルにバンパーやアンダーカバー等の部品を取り付けるためのプッシュリベットに関し、グロメットをピンに挿入した本止め状態において、グロメットのフランジ部とピンの頭部との間に生ずるクリアランスを通じて、泥砂や泥水等の異物を排出もしくは排水することができるようにしたものである。
【背景技術】
【０００２】
従来、グロメットとピンとから構成されたプッシュリベットが知られている（例えば特許文献１）。
上記した従来のプッシュリベットは、グロメットのフランジ部の底に、押し上げ突起を設けている（特許文献１の段落番号「００１９」、段落番号「００２６」、図２及び図３）。また、従来のプッシュリベットは、本止め状態においてピンを回転した際に、上記押し上げ突起に係合する引き上げ突起を、ピンの頭部に設けている（特許文献１の段落番号「００２１」、段落番号「００２６」、図２及び図１０）。
【０００３】
なお、本出願人は、泥砂等の異物が内部に入りがたい構造を採用したプッシュリベットを既に提案している（特願2009-179222号及び特願2009-179223号）。
【先行技術文献】
【特許文献】
【０００４】
【特許文献１】特開平5-302609号公報
【発明の概要】
【発明が解決しようとする課題】
【０００５】
しかし、上記した従来のプッシュリベットは、本止め状態において、グロメットのフランジ部とピンの頭部とが密着するため、両者の間に泥水等が浸入してしまうと、外部に流れ落ち難く、又、内部で乾燥して硬化すると、両者が密着していまい、ピンの解除が困難になってしまうという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００６】
すなわち、請求項１に記載の発明は、グロメットをピンに挿入した本止め状態において、グロメットのフランジ部とピンの頭部との間に生ずるクリアランスを通じて、泥砂や泥水等の異物を排出もしくは排水することができるようにしたものである。
その結果、請求項１に記載の発明によれば、グロメットのフランジ部とピンの頭部との間に泥砂等の異物が堆積し難くなり、ピンの解除が容易にできる。
【０００７】
これに加えて、請求項１に記載の発明は、突部によりクリアランスを発生させることができるようにしたものである。
その結果、請求項１に記載の発明によれば、接触手段の構造の簡便化を図ることができる。
（請求項２）
請求項２に記載の発明は、上記した請求項１に記載の発明の目的に加え、次の点を目的とする。
【０００８】
すなわち、請求項２に記載の発明は、突部が治具の差し込みを妨げないようにすることができるようにしたものである。
また、請求項２に記載の発明によれば、治具の差込溝を通して、グロメットとピンとの嵌合状態や、着座状態或いは着座位置を目視により容易に確認することができる。
（請求項３）
請求項３に記載の発明は、上記した請求項２に記載の発明の目的に加え、次の点を目的とする。
【０００９】
すなわち、請求項３に記載の発明は、突部により治具の差し込みをガイドすることができるようにしたものである。
【００１０】
【００１１】
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１３】
第１に、プッシュリベット(10)は、例えば図１に示すように、次の構成を有する。
（１）グロメット(40)
（２）ピン(50)
第２に、グロメット(40)は、例えば図１〜８に示すように、次の構成から少なくとも構成されている。
【００１４】
（３）フランジ部(60)
フランジ部(60)は、例えば図１〜８に示すように、挿通孔(61)が設けられている。
（４）連結脚部(80)
連結脚部(80)は、例えば図１〜４に示すように、少なくとも一対あり、フランジ部(60)から上方に向かって突設され、頂点において互いに連結されているものである。
【００１５】
なお、連結脚部(80)を、一対、すなわち２個形成したが、これに限定されず、３個以上形成しても良い。
（５）分割脚部(90)
分割脚部(90)は、例えば図１〜４に示すように、少なくとも一対あり、フランジ部(60)から上方に向かって、一対の連結脚部(80)の間にスリット(71)を形成するように突設されているものである。
【００１６】
なお、分割脚部(90)を、４個形成したが、これに限定されず、一対、すなわち２個、或いは３個、もしくは５個以上形成しても良い。
（６）膨出部(91)
膨出部(91)は、例えば図３、図７及び図８に示すように、連結脚部(80)及び分割脚部(90)の内部方向に突設され、先端部に向かうに従って内方に傾斜するテーパー面を有するものである。
【００１７】
なお、膨出部(91)を、各分割脚部(90)にそれぞれ、計４個形成したが、これに限定されず、連結脚部(80)側に形成しても良いし、又、個数も４個に限らず、単数、２個、３個或いは５個以上形成しても良い。
第３に、ピン(50)は、例えば図１及び図９〜１４に示すように、次の構成から少なくとも構成されている。
【００１８】
（７）頭部(100)
頭部(100)は、例えば図２１〜２３に示すように、フランジ部(60)に嵌合するものである。
（８）軸部(110)
軸部(110)は、例えば図１及び図９〜１２に示すように、頭部(100)から上方に向かって突設されているものである。
【００１９】
（９）凹溝(111)
凹溝(111)は、例えば図１及び図９〜１２に示すように、軸部(110)の側部に形成され、例えば図２２及び図２３に示すように、膨出部(91)に係合することにより、連結脚部(80)及び分割脚部(90)を拡径するものである。
第４に、グロメット(40)とピン(50)との間には、例えば図２２及び図２３に示すように、本止め状態において、グロメット(40)のフランジ部(60)とピン(50)の頭部(100)との対向面の間に、クリアランス(120)を生じさせるための接触手段（例えば突部65）を備えている。
【００２０】
なお、接触手段として、突部(65)を例示したが、これに限定されない。また、突部(65)を、グロメット(40)のフランジ部(60)に設けたが、これに限定されず、グロメット(40)の分割脚部(90)、ピン(50)の頭部(100)や軸部(110)の１箇所以上に設けても良い。
【００２１】
第５に、接触手段は、例えば図１〜３及び図５に示すように、グロメット(40)のフランジ部(60)と、ピン(50)の頭部(100)との対向面のいずれか少なくとも一方に設けられている突部(65)である。
なお、突部(65)を、グロメット(40)のフランジ部(60)の下面に設けたが、これに限定されず、ピン(50)の頭部(100)の上面、或いはグロメット(40)とピン(50)との両者に設けても良い。
第６に、突部(65)の下面が、フランジ部(60)の下面と平行に平面状に形成されている。
（請求項２）
請求項２に記載の発明は、上記した請求項１に記載の発明の特徴点に加え、次の点を特徴とする。
【００２２】
第１に、グロメット(40)のフランジ部(60)の外周には、例えば図１〜３及び図５に示すように、次の構成を有する。
（１）差込溝(63)
差込溝(63)は、例えば図１〜３及び図５に示すように、複数個あり、挿通孔(61)を中心に放射状に配置され、当該挿通孔(61)に向かって治具（図示せず）を差し込み可能なものである。
【００２３】
なお、差込溝(63)を４個設けたが、これに限定されず、２個、３個或いは５個以上設けても良い。
（２）突縁部(64)
突縁部(64)は、例えば図１〜３及び図５に示すように、複数個あり、例えば図２２及び図２３に示すように、差込溝(63)を挟んで両側に位置し、フランジ部(60)の外周を縁取るとともに、内周方向にピン(50)の頭部(100)の外周がはまり込むものである。
【００２４】
なお、突縁部(64)を４個設けたが、これに限定されず、２個、３個或いは５個以上設けても良い。
第２に、突部(65)は、例えば図１〜３及び図５に示すように、突縁部(64)と挿通孔(61)との間に位置し、フランジ部(60)の下面に向かって突縁部(64)より一段高く形成されている。
（請求項３）
請求項３に記載の発明は、上記した請求項２に記載の発明の特徴点に加え、次の点を特徴とする。
【００２５】
すなわち、突部(65)は、例えば図５に示すように、突縁部(64)から挿通孔(61)に向かって、フランジ部(60)の周方向の幅を徐々に減少させている。
【００２６】
【００２７】
【発明の効果】
【００２８】
本発明は、以上のように構成されているので、以下に記載されるような効果を奏する。
（請求項１）
請求項１に記載の発明によれば、次のような効果を奏する。
すなわち、請求項１に記載の発明によれば、グロメットをピンに挿入した本止め状態おいて、グロメットのフランジ部とピンの頭部との間に、泥砂等の異物を排出可能なクリアランスを形成することができる。
【００２９】
その結果、請求項１に記載の発明によれば、クリアランスから泥砂や水が流れ落ち易くなり、グロメットのフランジ部とピンの頭部との間に泥砂が堆積し難く、ピンの解除が容易にできる。
【００３０】
これに加え、請求項１に記載の発明によれば、突部によりクリアランスを発生させることができる。
その結果、請求項１に記載の発明によれば、接触手段の構造の簡便化を図ることができる。
（請求項２）
請求項２に記載の発明によれば、上記した請求項１に記載の発明の効果に加え、次のような効果を奏する。
【００３１】
すなわち、請求項２に記載の発明によれば、突部が治具の差し込みを妨げないようにすることができる。
また、請求項２に記載の発明によれば、治具の差込溝を通して、グロメットとピンとの嵌合状態や、着座状態或いは着座位置を目視により容易に確認することができる。
（請求項３）
請求項３に記載の発明によれば、上記した請求項２に記載の発明の効果に加え、次のような効果を奏する。
【００３２】
すなわち、請求項３に記載の発明によれば、突部により治具の差し込みをガイドすることができる。
【００３３】
【００３４】
【図面の簡単な説明】
【００３５】
【図１】プッシュリベットの斜視図である。
【図２】グロメットの一半を断面にした正面図である。
【図３】グロメットの一半を断面にした側面図である。
【図４】グロメットの平面図である。
【図５】グロメットの底面図である。
【図６】図２のＡ−Ａ線に沿う断面図である。
【図７】図４のＢ−Ｂ線に沿う断面図である。
【図８】図４のＣ−Ｃ線に沿う断面図である。
【図９】ピンの斜視図である。
【図１０】ピンの一半を断面にした正面図である。
【図１１】ピンの一半を断面にした側面図である。
【図１２】ピンの平面図である。
【図１３】ピンの底面図である。
【図１４】図１０のＤ−Ｄ線に沿う断面図である。
【図１５】グロメットとピンとの側面図である。
【図１６】グロメットとピンとの断面図である。
【図１７】グロメットとピンとの他の断面図である。
【図１８】ピンをグロメットに仮止めした状態の斜視図である。
【図１９】ピンをグロメットに仮止めした状態の断面図である。
【図２０】ピンをグロメットに仮止めした状態の他の側面図である。
【図２１】ピンをグロメットに本止めした状態の斜視図である。
【図２２】ピンをグロメットに本止めした状態の側面図である。
【図２３】ピンをグロメットに本止めした状態の他の側面図である。
【発明を実施するための形態】
【００３６】
（プッシュリベット10）
図１中、10は、プッシュリベットであり、当該プッシュリベット10は、図２２及び図２３に示すように、自動車のボディ等のパネル20に、バンパーやアンダーカバー等の部品30を取り付けるためのものである。
パネル20には、図２２及び図２３に示すように、プッシュリベット10の後述する支持脚70を挿入可能であり、表裏面に貫通した円形の貫通孔21を設けている。
【００３７】
部品30には、図２２及び図２３に示すように、プッシュリベット10の後述する支持脚70を挿入可能であり、パネル20の貫通孔21に連通し、表裏面に貫通した円形の連通孔31を設けている。
なお、パネル20として、自動車のボディを例示し、部品30として、バンパーやアンダーカバーを例示したが、これらに限定されず、又、自動車用にも限定されない。
【００３８】
プッシュリベット10は、図１に示すように、大別すると、次のパーツを備える。
なお、次の（１）及び（２）については、後述する。
（１）グロメット40
（２）ピン50
なお、プッシュリベット10のパーツは、上記した（１）及び（２）に限定されない。
（グロメット40）
グロメット40は、図２２及び図２３に示すように、互いに連通したパネル20の貫通孔21と部品30の連通孔31とに一連に挿入するものであり、後述するピン50を挿入することで拡径し、パネル20と部品30とを重合状態に固定するためのものである。グロメット40は、適度な弾性と剛性とを有する合成樹脂、例えばポリアセタール（ＰＯＭ）等により一体的に成形される。
【００３９】
具体的には、グロメット40は、図１〜８に示すように、大別すると、次の各部を備える。
なお、次の（１）及び（２）については、後述する。
（１）フランジ部60
（２）支持脚70
なお、グロメット40の各部は、上記した（１）及び（２）に限定されない。
（ピン50）
ピン50は、図２２及び図２３に示すように、グロメット40内に挿入され、グロメット40の支持脚70を拡径させるためのものである。ピン50は、適度な弾性と剛性とを有する合成樹脂、例えばポリエチレンテレフタレート（ＰＢＴ）等により一体的に成形される。
【００４０】
具体的には、ピン50は、図１及び図９〜１４に示すように、大別すると、次の各部を備える。
なお、次の（１）及び（２）については、後述する。
（１）頭部100
（２）軸部110
なお、ピン50の各部は、上記した（１）及び（２）に限定されない。
（フランジ部60）
フランジ部60は、図１〜５に示すように、挿通孔61が設けられている。
【００４１】
具体的には、フランジ部60は、円盤状に形成され、図２２及び図２３に示すように、その外径を部品30の連通孔31の内径より大きく設定している。
フランジ部60は、図１〜８に示すように、次の各部を備える。
なお、次の（１）〜（５）については、後述する。
（１）挿通孔61
（２）ガイド突起62
（３）差込溝63
（４）突縁部64
（５）突部65（接触手段）
なお、フランジ部60の各部は、上記した（１）〜（５）に限定されない。
（挿通孔61）
挿通孔61は、図１〜３及び図５に示すように、フランジ部60の中心に円形に形成され、上下に貫通している。
（ガイド突起62）
ガイド突起62は、図５に示すように、挿通孔61の内縁部から相対向して一対突出し、後述するピン50のガイド溝115にはまり込む。
（差込溝63）
差込溝63は、図１〜３及び図５に示すように、複数、例えば４個あり、挿通孔61を中心に放射状に配置され、当該挿通孔61に向かって、図示しないが、ドライバー等の治具を差し込み可能なものである。
【００４２】
なお、差込溝63を、９０度間隔で４個設けたが、これに限定されず、２個、３個或いは５個以上設けても良い。
（突縁部64）
突縁部64は、図１〜３及び図５に示すように、複数、例えば差込溝63と同数の４個あり、差込溝63を挟んで両側に位置し、フランジ部60の外周を円弧状に縁取るとともに、図２１〜２３に示すように、内周方向にピン50の頭部100の外周がはまり込むものである。
【００４３】
なお、突縁部64を、差込溝63と同様に、９０度間隔で４個設けたが、これに限定されず、２個、３個或いは５個以上設けても良い。
突縁部64の内径は、図２１〜２３に示すように、後述するピン50の頭部100の外径以上に設定され、フランジ部60の下面からの突縁部64の高さは、ピン50の頭部100の厚さ以下に設定され、突縁部64の内側にピン50の頭部100がスッポリとはまり込むようにしている。
なお、突縁部64の高さを、ピン50の頭部100の厚さ以下に設定したが、これに限定されず、突縁部64の高さを、ピン50の頭部100の厚さを超える高さに設定しても良い。
（突部65）
突部65は、図１〜３及び図５に示すように、突縁部64と挿通孔61との間に位置し、フランジ部60の下面に向かって突縁部64より一段高く形成されている。
【００４４】
突部65は、図５に示すように、突縁部64から挿通孔61に向かって、フランジ部60の周方向の幅を徐々に減少させている。具体的には、突部65は、挿通孔61の中心に向かって尖った、平面が扇形、山形或いは三角形形に形成されている。
なお、突部65の外周を、突縁部64の内周に接するように設けたが、これに限定されず、両者を離して設けても良い。また、突部65を、平面が扇形、山形或いは三角形形に形成したが、これらの形状に限定されない。
【００４５】
フランジ部60の下面からの突部65の高さは、突縁部64の高さより低く設定されている。例えば、フランジ部60の直径を、「１８mm」とし、フランジ部60の上面から下面迄の厚みを、「１．８mm」とした場合に、フランジ部60の上面から突縁部64の下面迄の厚みを「３．１mm」に、フランジ部60の上面から突部65迄の厚みを「２．１mm」にそれぞれ設定している。
【００４６】
このため、フランジ部60の下面からの突縁部64の高さは、「１．３mm」となり、フランジ部60の下面からの突部65の高さは、「０．３mm」となり、突縁部64と突部65との高さの差は、「１．０mm」となる。
すなわち、突部65の下面とピン50の頭部100の上面とが当接した際に、フランジ部60の下面とピン50の頭部100の上面との間に、「０．３mm」のクリアランス120が生じ、突部65が接触手段として機能する。
【００４７】
なお、接触手段については後述する。また、上記数値は、例示であり、これらの数値に限定されない。
（支持脚70）
支持脚70は、図１〜４に示すように、フランジ部60から上方に向かって突設され、その外径をパネル20の貫通孔21及び部品30の連通孔31の内径以下に設定している。
【００４８】
具体的には、支持脚70は、図１〜４に示すように、次の各部を有する。
なお、次の（１）及び（２）については、後述する。
（１）連結脚部80
（２）分割脚部90
なお、支持脚70の各部は、上記した（１）及び（２）に限定されない。
（連結脚部80）
連結脚部80は、図１〜４に示すように、少なくとも一対あり、フランジ部60から上方に向かって突設され、頂点において互いに連結されているものである。
【００４９】
なお、連結脚部80を、一対、すなわち２個形成したが、これに限定されず、３個以上形成しても良い。
連結脚部80は、板状に形成され、高さの途中から互いに接近する方向に略Ｖ字形に折れ曲がり、頂点において先の尖った略Ｖ字形或いは山形に連結されている。
具体的には、連結脚部80は、図１〜４に示すように、次の各部を備える。
【００５０】
なお、連結脚部80の各部は、次の（１）及び（２）に限定されない。
（１）片半部81
片半部81は、図１〜４に示すように、後述する４個のスリット71のうち、対向する２個のスリット71により二分割され、計４個ある。
（２）頂点連結部82
頂点連結部82は、図１〜４に示すように、４個の片半部81の頂点を全て連結するものであり、先の尖った略Ｖ字形或いは山形に形成されている。
（分割脚部90）
分割脚部90は、図１〜４に示すように、少なくとも一対あり、フランジ部60から上方に向かって、一対の連結脚部80の間にスリット71を形成するように突設されているものである。
【００５１】
分割脚部90は、全体として略円筒形に形成され、中空内部がフランジ部60の挿通孔61に連通している。また、分割脚部90は、４個のスリット71により、縦方向に４個に分割されている。
なお、分割脚部90を、４個形成したが、これに限定されず、一対、すなわち２個、或いは３個、もしくは５個以上形成しても良い。また、スリット71を、４個形成したが、これに限定されず、２個、或いは３個、もしくは５個以上形成しても良い。
【００５２】
具体的には、分割脚部90は、図１〜４に示すように、次の各部を備える。
なお、分割脚部90の各部は、次の（１）及び（２）に限定されない。
（１）スリット71
４個のスリット71は、図１〜４に示すように、その開放下面がフランジ部60の挿通孔61に開放している。また、４個のスリット71のうち、背向する２個のスリット71が上方に向かって延び、連結脚部80を片半部81に二分割している。
【００５３】
４個のスリット71のうち、連結脚部80まで延びる背向する２個のスリット71は、上端部が分割脚部90の上端部を超えて連結脚部80の上方に向かって開放し、下端部がフランジ部60の挿通孔61に開放する。
また、４個のスリット71のうち、短い背向する２個のスリット71は、上端部が分割脚部90の上端に開放するとともに、下端部がフランジ部60の挿通孔61に開放する。
【００５４】
このため、４個のスリット71を通して、グロメット40の外側に向かって泥砂や泥水等の異物を排出もしくは排水し易い構造となっている。
（２）膨出部91
膨出部91は、図７及び図８に示すように、連結脚部80及び分割脚部90の内部方向に突設され、先端部に向かうに従って内方に傾斜するテーパー面を有するものである。
【００５５】
なお、膨出部91を、各分割脚部90にそれぞれ、計４個形成したが、これに限定されず、連結脚部80側に形成しても良いし、又、個数も４個に限らず、単数、２個、３個或いは５個以上形成しても良い。
（頭部100）
頭部100は、図２１〜２３に示すように、フランジ部60に嵌合するものである。
【００５６】
頭部100は、図１及び図９〜１３に示すように、円盤状に形成され、フランジ部60の突縁部64の内側にピン50の頭部100がスッポリとはまり込むようにしている。
（軸部110）
軸部110は、図１及び図９〜１２に示すように、頭部100から上方に向かって突設されているものである。
【００５７】
軸部110は、図１５〜２３に示すように、その全長を分割脚部90の全長より長く設定している。
具体的には、軸部110は、図１及び図９〜１２に示すように、次の各部を備える。
なお、次の（１）〜（６）については後述する。
（１）凹溝111
（２）角部112
（３）切欠部113
（４）段差部114
（５）ガイド溝115
（６）空洞部116
なお、軸部110の各部は、上記した（１）〜（６）に限定されない。
（凹溝111）
凹溝111は、図１及び図９〜１２に示すように、軸部110の側部に形成され、図２２及び図２３に示すように、膨出部91に係合することにより、連結脚部80及び分割脚部90を拡径するものである。
【００５８】
凹溝111は、軸部110の４個の辺にそれぞれ形成され、凹状に凹んでいる。
凹溝111には、ピン50をグロメット40に挿入した際に、図２２及び図２３に示すように、４個の分割脚部90の膨出部91がそれぞれ係合する。すなわち、ピン50を深く挿入すると、膨出部91が凹溝111に乗り上がり、連結脚部80の外径が拡径する。
（角部112）
角部112は、図１８及び図２１に示すように、フランジ部60の４個のスリット71にスライド可能にはまり込むものである。
【００５９】
角部112は、図１、図９〜１２及び図１４に示すように、軸部110の４個の角にそれぞれ離れて位置し、柱状に形成されている。
このため、角部112の間の隙間から、軸部110の外側に向かって泥砂や泥水等の異物を排出もしくは排水し易い構造となっている。
（切欠部113）
切欠部113は、図１及び図９〜１２に示すように、４個の凹溝111のうち、背向する２個の凹溝111に形成され、軸部110の先端部から形成され、凹溝111の底より一段低く凹んでいる。
【００６０】
切欠部113には、ピン50をグロメット40に挿入した際に、４個の分割脚部90の膨出部91がそれぞれ係合する。すなわち、すなわち、ピン50を深く挿入すると、切欠部113の無い背向する２個の凹溝111に膨出部91が乗り上がり、４個の分割脚部90のうち、対向する２個の分割脚部90が先に拡径する。このとき、残る２個の分割脚部90の膨出部91は、切欠部113に位置する。
【００６１】
さらに、ピン50を挿入すると、切欠部113に位置していた膨出部91が、切欠部113の有る背向する２個の凹溝111に乗り上がり、残る２個の分割脚部90が遅れて拡径する。
このため、４個の分割脚部90を、２個組で異なるタイミングで拡径することができることから、ピン50の挿入力を軽減できる。
（段差部114）
段差部114は、図１及び図９〜１１に示すように、切欠部113を有する２個の凹溝111に形成され、切欠部113に隣接し、凹溝111の底より一段高くなっている。
【００６２】
凹溝111には、フランジ部60の膨出部91が当接するが、軸部110をフランジ部60の挿通孔61を通して分割脚部90の中空内部に挿入すると、膨出部91が切欠部113に当接する。軸部110を更に深く挿入すると、膨出部91が段差部114に乗り上がって、分割脚部90の外径が拡径する。更に、軸部110を挿入すると、段差部114に乗り上がっていた膨出部91が、一段低くなった凹溝111の底に落ち込み、このときクリック感が発生し、又、膨出部91は一段高くなった段差部114に当接し、軸部110の抜け方向のスライドが阻止される。
（ガイド溝115）
ガイド溝115は、図１、図９〜１１及び図１４に示すように、角部112にそれぞれ形成され、フランジ部60の挿通孔61内に突出するガイド突起62にスライド可能にはまり合う。
【００６３】
ガイド溝115は、頭部100の上面の直上から上方に向かって延び、その上端部が軸部110の軸方向の長さの途中で行き止まっている。ガイド溝115の行き止まりの上端部により、頭部100がフランジ部60の挿通孔61から抜けるのを阻止している。
すなわち、ガイド溝115とガイド突起62とは、図１８〜２０に示すように、ピン50の軸部110をグロメット40の挿通孔61に途中まで挿入した仮止め状態に保持するためのものである。
（空洞部116）
空洞部116は、図１１に示すように、軸部110の横方向に貫通するものであり、両端部が背向する凹溝111にそれぞれ開口する。空洞部116は、フランジ部60の直上に位置し、横方向に並んで２個設けられている。
【００６４】
このため、空洞部116を通して軸部110の外側に向かって、泥砂や泥水等の異物を排出もしくは排水し易い構造となっている。
（接触手段）
接触手段は、グロメット40とピン50との間に位置し、図２２及び図２３に示すように、本止め状態において、グロメット40のフランジ部60とピン50の頭部100との対向面の間にクリアランス120を生じさせるためのものである。
【００６５】
なお、接触手段として、突部65を例示したが、これに限定されない。また、突部65を、グロメット40のフランジ部60に設けたが、これに限定されず、グロメット40の分割脚部90、ピン50の頭部100や軸部110の１箇所以上に設けても良い。
すなわち、接触手段は、次のような態様が可能である。
なお、接触手段の態様は、次の（１）〜（３）に限定されない。
（１）グロメット40のフランジ部60とピン50の頭部100との対向面のいずれか少なくとも一方に設ける態様
例えば、突部65を、図１〜３及び図５に示すように、グロメット40のフランジ部60の下面に設けても良いし、図示しないが、ピン50の頭部100の上面に設けても良いし、或いは両面にそれぞれ設けても良い。
【００６６】
（２）グロメット40の後述する分割脚部90と、ピン50の軸部110との対向面のいずれか少なくとも一方に設ける態様
例えば、図示しないが、突部を、グロメット40の分割脚部90の内周面に設けたり、ピン50の軸部110の外周面に設けたり、或いは両面にそれぞれ設けても良い。
（３）グロメット40のフランジ部60と、ピン50の軸部110との対向面のいずれか少なくとも一方に設ける態様
例えば、図示しないが、突部を、グロメット40のフランジ部60の上面に設けたり、ピン50の軸部110の外周面に設けたり、或いは両面にそれぞれ設けても良い。
（プッシュリベット10の使用方法）
つぎに、上記した構成を備えるプッシュリベット10の使用方法について説明する。
（仮止め）
まず、図１８〜２０に示すように、ピン50をグロメット40に挿入し、仮止めする。
【００６７】
なお、グロメット40の支持脚70を単独で、互いに連通したパネル20の貫通孔21と部品30の連通孔31とに一連に挿入し、その後、ピン50を挿入しても良い。
まず、ピン50は、図１８〜２０に示すように、その軸部110を、グロメット40のフランジ部60の挿通孔61に合わせて挿入する。
軸部110を挿入すると、その先端部が挿通孔61を通して分割脚部90の中空内部に向かって進行する。
【００６８】
このとき、軸部110の４個の角部112が、フランジ部60の４個のスリット71にはまり込む。
軸部110を更に挿入すると、フランジ部60の挿通孔61内に突出する２個のガイド突起62が、４個の角部112のガイド溝115のうち、２個のガイド溝115内に、角部112側の弾性力により、パチンとはまり込む。
【００６９】
ガイド突起62がガイド溝115内にはまり込むと、ガイド溝115の上端部が行き止まりであることから、軸部110がフランジ部60の挿通孔61から抜けなくなり、ピン50がグロメット40に対して仮止めされる。
（本止め）
つぎに、図１９及び図２０に示すように、ピン50を仮止めしたグロメット40の支持脚70を、部品30の連通孔31を通してパネル20の貫通孔21に一連に挿入する。
【００７０】
その後、ピン50を、図２１〜２３に示すように、グロメット40内に更に深く挿入する。
ピン50を挿入すると、その４個の凹溝111に、４個の分割脚部90の膨出部91がそれぞれ乗り上がり、パネル20の上方において、４個の分割脚部90の外径が拡径する。
このため、パネル20と部品30は、拡径した４個の分割脚部90と、グロメット40のフランジ部60の上面との間に挟み持たれ、部品30はプッシュリベット10を介してパネル20に固定される。
【００７１】
また、このとき、分割脚部90の膨出部91が、ピン50の軸部110の段差部114に乗り越え、一段低くなった凹溝111の底に落ち込み、このときクリック感が発生し、又、膨出部91は一段高くなった段差部114に当接し、軸部110の抜け方向のスライドが阻止され、ピン50がグロメット40に対して本止め状態にロックされる。
この本止め状態において、ピン50の頭部100は、図２１〜２３に示すように、グロメット40のフランジ部60の突縁部64の内周側にスッポリとはまり込む。
【００７２】
このとき、ピン50の頭部100の上面は、図２２及び図２３に示すように、フランジ部60の突部65の下面と当接し、ピン50の頭部100の上面とフランジ部60の下面との間に、クリアランス120が発生する。
このため、クリアランス120を通じて、泥砂や泥水等の異物を外側に向かって排出もしくは排水することができる。
【００７３】
その結果、ピン50の頭部100の上面とフランジ部60の下面との間に、泥砂等の異物が堆積し難くなる。
（部品30の取り外し）
部品30を取り外す際には、グロメット40のフランジ部60の差込溝63から、図示しないが、マイナス・ドライバー等の治具を差し込み、ピン50の頭部100をフランジ部60から離隔する方向に移動すれば良い。
【００７４】
ピン50の頭部100をフランジ部60から離隔する方向に移動すると、ピン50の軸部110が、フランジ部60の挿通孔61から抜ける方向に移動し、このとき、分割脚部90の膨出部91が、
ピン50の軸部110の凹溝111より一段高くなった段差部114に乗り上がり、ロック状態が解除される。
その後、ピン50の頭部100を持って、その軸部110をフランジ部60の挿通孔61から抜ける方向に移動すると、軸部110の凹溝111に乗り上がっていた分割脚部90の膨出部91が、当該凹溝111から離隔する。このため、分割脚部90は、自身の弾性に加え、連結脚部80の弾性により、元の外径に縮径する。
【００７５】
このため、グロメット40の支持脚70を、パネル20の貫通孔21から抜くことが可能となり、部品30を貫通孔21から取り外すことができる。
なお、治具を使用してロックを解除したが、治具を使用せずに、指の爪を差込溝63に差し込んでロックを解除することも可能である。
【符号の説明】
【００７６】
10  プッシュリベット
20  パネル（ボディー）    21  貫通孔
30  部品                  31  連通孔
40  グロメット            50  ピン
60  フランジ部
61  挿通孔                62  ガイド突起
63  差込溝                64  突縁部
65  突部（接触手段）
70  支持脚                71  スリット
80  連結脚部
81  片半部                82  頂点連結部
90  分割脚部              91  膨出部
100  頭部                  110  軸部
111  凹溝                  112  角部
113  切欠部                114  段差部
115  ガイド溝              116  空洞部
120  クリアランス
【図１】
0005680915.tif 000002
【図２】
0005680915.tif 000003
【図３】
0005680915.tif 000004
【図４】
0005680915.tif 000005
【図５】
0005680915.tif 000006
【図６】
0005680915.tif 000007
【図７】
0005680915.tif 000008
【図８】
0005680915.tif 000009
【図９】
0005680915.tif 000010
【図１０】
0005680915.tif 000011
【図１１】
0005680915.tif 000012
【図１２】
0005680915.tif 000013
【図１３】
0005680915.tif 000014
【図１４】
0005680915.tif 000015
【図１５】
0005680915.tif 000016
【図１６】
0005680915.tif 000017
【図１７】
0005680915.tif 000018
【図１８】
0005680915.tif 000019
【図１９】
0005680915.tif 000020
【図２０】
0005680915.tif 000021
【図２１】
0005680915.tif 000022
【図２２】
0005680915.tif 000023
【図２３】
0005680915.tif 000024